Podtech/llm-jp-corpus-v4-ja_patent huggingface dataset:
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
被測定ガス中の特定成分を検出する検出部（２１）を備えるセンサ素子（２）と、
上記センサ素子を内側に挿通して、軸方向（Ｘ）の先端側に上記検出部が位置するように保持するハウジング（Ｈ）と、
上記ハウジングの先端側に同軸的に配設された素子カバー（１）と、を備え、
上記素子カバーは、上記センサ素子の先端側を覆うように配設されたインナカバー（１１）と、上記インナカバーの外側に空間を有して配設されたアウタカバー（１２）と、を有するセンサ装置（Ｓ）であって、
上記インナカバーは、側面（１１１）及び先端面（１１２）に、被測定ガスが流通するインナ側面孔（１１ａ）及びインナ先端面孔（１１ｂ）がそれぞれ設けられると共に、先端側の上記側面がテーパ状であり、先端側の上記側面の外周において、上記インナカバーと上記アウタカバーとの間のクリアランスは、先端側から基端側へ向かうほど小さくなり、
上記アウタカバーは、側面（１２１）に、被測定ガスが流通する複数のアウタ側面孔（１２ａ）が設けられると共に、上記アウタ側面孔の先端位置が上記インナカバーの先端位置よりも先端側にあり、
上記アウタカバーの先端面（１２２）には、上記インナ先端面孔の外周縁に対向する位置よりも外側に、複数のアウタ先端面孔（１２ｂ）が設けられ、かつ、
上記アウタカバーの上記先端面は、上記インナ先端面孔に対向する中央部（１２２ａ）が上記インナ先端面孔に向けて突出し、上記中央部よりも、上記アウタ先端面孔が配置される外周部（１２２ｂ）が先端側に位置すると共に、上記中央部と上記アウタ先端面孔とを接続する傾斜面（１２３）を有する、センサ装置。
【請求項２】
上記アウタカバーの上記先端面の内側には、上記軸方向と直交する方向をガス流れ方向とする第１流路（Ｆ１）が形成され、
上記インナ側面孔は、上記インナカバーの外側面と上記アウタカバーの内側面との間に設けられる第２流路（Ｆ２）に開口すると共に、
上記第２流路は、上記インナカバーの上記先端面の外周側において、最大クリアランスとなる大クリアランス部（３１）を有し、上記大クリアランス部よりも基端側において、最小クリアランスとなる小クリアランス部（３２）を有する、請求項１に記載のセンサ装置。
【請求項３】
上記インナカバーは、上記先端面に連続する先端側の上記側面において、上記小クリアランス部に対応する基端側から上記大クリアランス部に対応する先端側へ向けて縮経するテーパ面を有する、請求項２に記載のセンサ装置。
【請求項４】
上記アウタカバーにおいて、上記先端面の上記中央部は、上記アウタ側面孔の外周縁の位置又はそれよりも先端側に位置し、上記先端面の先端側表面からの上記中央部の基端側表面の高さ（ｈ）は、上記先端面の先端側表面と上記アウタ側面孔の外周縁との距離（ｄ）以下である、請求項１〜３のいずれか１項に記載のセンサ装置。
【請求項５】
上記アウタカバーにおいて、複数の上記アウタ先端面孔は、上記先端面の周方向に均等配置されており、排水孔として機能する、請求項１〜４のいずれか１項に記載のセンサ装置。
【請求項６】
上記インナカバーには、上記インナ側面孔の先端縁部から上記インナカバー１１の内方へ傾斜して延出するガイド体１３が設けられる、請求項１〜５のいずれか１項に記載のセンサ装置。
【請求項７】
上記被測定ガスは、内燃機関（Ｅ）の排ガスであり、上記ハウジングは、上記軸方向を鉛直方向として上記内燃機関の排ガス管（ＥＸ）に取り付けられ、上記特定成分は、排ガスに含まれる粒子状物質である、請求項１〜６のいずれか１項に記載のセンサ装置。
【手続補正２】
【補正対象書類名】明細書
【補正対象項目名】００１０
【補正方法】変更
【補正の内容】
【００１０】
本発明の一態様は、
被測定ガス中の特定成分を検出する検出部（２１）を備えるセンサ素子（２）と、
上記センサ素子を内側に挿通して、軸方向（Ｘ）の先端側に上記検出部が位置するように保持するハウジング（Ｈ）と、
上記ハウジングの先端側に同軸的に配設された素子カバー（１）と、を備え、
上記素子カバーは、上記センサ素子の先端側を覆うように配設されたインナカバー（１１）と、上記インナカバーの外側に空間を有して配設されたアウタカバー（１２）と、を有するセンサ装置（Ｓ）であって、
上記インナカバーは、側面（１１１）及び先端面（１１２）に、被測定ガスが流通するインナ側面孔（１１ａ）及びインナ先端面孔（１１ｂ）がそれぞれ設けられると共に、先端側の上記側面がテーパ状であり、先端側の上記側面の外周において、上記インナカバーと上記アウタカバーとの間のクリアランスは、先端側から基端側へ向かうほど小さくなり、
上記アウタカバーは、側面（１２１）に、被測定ガスが流通する複数のアウタ側面孔（１２ａ）が設けられると共に、上記アウタ側面孔の先端位置が上記インナカバーの先端位置よりも先端側にあり、
上記アウタカバーの先端面（１２２）には、上記インナ先端面孔の外周縁に対向する位置よりも外側に、複数のアウタ先端面孔（１２ｂ）が設けられ、かつ、
上記アウタカバーの上記先端面は、上記インナ先端面孔に対向する中央部（１２２ａ）が上記インナ先端面孔に向けて突出し、上記中央部よりも、上記アウタ先端面孔が配置される外周部（１２２ｂ）が先端側に位置すると共に、上記中央部と上記アウタ先端面孔とを接続する傾斜面（１２３）を有する、センサ装置にある。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
蒸気を発生させる原子炉と、
前記原子炉で発生した蒸気により駆動する蒸気タービンと、
前記蒸気タービンに連結された発電機と、
前記原子炉と前記蒸気タービンとを接続する主蒸気配管と、
前記主蒸気配管に設けられた蒸気加減弁と、
前記主蒸気配管における前記蒸気加減弁よりも上流側から分岐して前記蒸気タービンを迂回するタービンバイパス配管と、
前記タービンバイパス配管に設けられたバイパス弁と、
前記主蒸気配管における前記蒸気加減弁よりも上流側から分岐した入口配管と前記入口配管から二股に分岐して前記主蒸気配管における前記蒸気加減弁よりも下流側の部分及び前記タービンバイパス配管における前記バイパス弁よりも下流側の部分にそれぞれ接続された第１出口配管及び第２出口配管とで構成された分流配管と、
前記分流配管の分岐部に設けられた三方弁とを備え、
前記三方弁は、前記入口配管から前記第１出口配管へ分流する蒸気流量と前記第２出口配管へ分流する蒸気流量の分配比率を調整するように構成されている
ことを特徴とする原子力発電プラント。
【請求項２】
請求項１に記載の原子力発電プラントにおいて、
前記蒸気タービンの回転速度を検出する速度検出器と、
前記原子炉内の圧力に対応する圧力を検出する圧力検出器と、
前記蒸気加減弁及び前記バイパス弁の開度を制御すると共に、前記三方弁における前記第１出口配管側と前記第２出口配管側の開口比率を制御する制御装置とを更に備え、
前記制御装置は、運転モードが前記発電機の出力を負荷変動に応じて追従させる負荷追従運転の場合、
前記蒸気加減弁の開度を予め設定された開度に固定し、
前記三方弁における前記第１出口配管側と前記第２出口配管側の開口比率を、前記速度検出器が検出した速度検出値と予め設定された速度設定値との偏差に基づき調整し、
前記圧力検出器が検出した圧力検出値と予め設定された圧力設定値との偏差に基づき前記バイパス弁の開度を調整する
ことを特徴とする原子力発電プラント。
【請求項３】
請求項２に記載の原子力発電プラントにおいて、
前記制御装置は、運転モードが前記原子炉内の圧力を一定に維持することを優先する通常運転の場合、
前記バイパス弁の開度を予め設定された開度に固定し、
前記三方弁における前記第１出口配管側と前記第２出口配管側の開口比率を予め設定された開口比率に固定し、
前記圧力検出器が検出した圧力検出値と予め設定された圧力設定値との偏差に基づき前記蒸気加減弁の開度を調整する
ことを特徴とする原子力発電プラント。
【請求項４】
原子炉で発生した蒸気を蒸気タービンに導く主蒸気配管に設けられた蒸気加減弁と、
前記主蒸気配管における前記蒸気加減弁よりも上流側から分岐して前記蒸気タービンを迂回するタービンバイパス配管に設けられたバイパス弁と、
前記主蒸気配管の前記蒸気加減弁よりも上流側を流れる蒸気の一部を前記蒸気加減弁及び前記バイパス弁を介さずに前記主蒸気配管の前記蒸気加減弁よりも下流側と前記タービンバイパス配管の前記バイパス弁よりも下流側とに分流させる分流配管の分岐部に設けられた三方弁とを備える原子力発電プラントの制御方法であって、
運転モードが発電機出力を負荷変動に応じて追従させる負荷追従運転である場合、
前記蒸気加減弁の開度を予め設定された開度に固定することで、前記蒸気加減弁を通過して前記蒸気タービンに導入される蒸気流量を一定とし、
前記三方弁を介して前記主蒸気配管と前記タービンバイパス配管とに分流する蒸気流量の分配比率を調整することで、前記分流配管を介して前記主蒸気配管に合流して前記蒸気タービンに導入される蒸気流量を変動させて前記蒸気タービンの回転速度に応じたタービン出力に制御し、
前記バイパス弁の開度を調整することで、前記バイパス弁を通過して前記蒸気タービンを迂回する蒸気流量を変動させて前記原子炉内の圧力を一定に維持する
ことを特徴とする原子力発電プラントの制御方法。
【請求項５】
請求項４に記載の原子力発電プラントの制御方法において、
運転モードが前記原子炉内の圧力を一定に維持することを優先する通常運転の場合、
前記バイパス弁の開度を予め設定された開度に固定することで、前記バイパス弁を通過して前記蒸気タービンを迂回する蒸気流量を一定とし、
前記三方弁を介して前記主蒸気配管と前記タービンバイパス配管とに分流する蒸気流量の分配比率を固定することで、前記分流配管を介して前記主蒸気配管に合流して前記蒸気タービンに導入される蒸気流量及び前記タービンバイパス配管に合流して前記蒸気タービンを迂回する蒸気流量を一定とし、
前記蒸気加減弁の開度を調整することで、前記蒸気加減弁を通過して前記蒸気タービンに導入される蒸気流量を変動させて前記原子炉内の圧力を一定に維持する
ことを特徴とする原子力発電プラントの制御方法。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
ユーザーから見える外部の実像に重なるように虚像を表示する表示装置であって、
表示媒体に前記虚像を投影するとともに、当該虚像の第１基準線を投影する投影部を備え、
前記投影部は、測距部により測定された前記実像に含まれる第２基準線までの距離に基づいて前記第１基準線を投影し、
前記表示媒体への前記虚像の上下方向の投影位置は、前記ユーザーの操作量に基づいて調整可能である、
表示装置。
【請求項２】
前記投影部は、前記測距部により測定された距離に対応した上下位置に、前記第１基準線を投影する、
請求項１に記載の表示装置。
【請求項３】
前記ユーザーの操作量に基づいて調整された投影位置をキャリブレーション値として記憶する、
請求項１又は２に記載の表示装置。
【請求項４】
前記第２基準線は、照射部により自車前方の道路に照射される可視光により形成される、
請求項１から３のいずれか一項に記載の表示装置。
【請求項５】
請求項４に記載の表示装置が搭載された車両であって、
前記測距部と、
前記ユーザーの操作量に基づいて前記表示媒体への前記虚像の上下方向の投影位置を調整可能な投影位置調整操作部と、
前記照射部と、を備え、
前記照射部は、プロジェクタ機能を有するヘッドライトである、
車両。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
スイッチ素子としてＭＯＳＦＥＴ（１４１、１４２）を備え、バッテリ（２）からの電圧が入力され、前記スイッチ素子のオンオフ動作により、入力された電圧を動作対象装置（１７０）が動作する電圧に降圧して前記動作対象装置へ出力する降圧回路（１４０）と、
前記降圧回路の作動を制御する制御部（１３０）と、
前記降圧回路と並列に設けられ、前記バッテリからの電圧が入力され、入力された電圧を昇圧して前記制御部に出力する昇圧電源部（１５０）とを備える車載電源装置であって、
前記動作対象装置は、コンピュータであって、通常状態と前記通常状態にて動作する回路の一部を停止させたスタンバイ状態とが可能であり、
前記車載電源装置は、前記昇圧電源部の昇圧動作をオフにした通電状態と、前記昇圧電源部を昇圧動作させる昇圧動作状態とを切り替える昇圧制御部（１８１）を備え、
前記昇圧制御部は、前記コンピュータが前記スタンバイ状態になっているときは、前記昇圧電源部を、昇圧動作をオフにした通電状態とし、前記コンピュータが前記通常状態になっているときは、前記昇圧電源部を昇圧動作させる、車載電源装置。
【手続補正２】
【補正対象書類名】明細書
【補正対象項目名】０００８
【補正方法】変更
【補正の内容】
【０００８】
上記目的を達成するための１つの開示は、スイッチ素子としてＭＯＳＦＥＴ（１４１、１４２）を備え、バッテリ（２）からの電圧が入力され、スイッチ素子のオンオフ動作により、入力された電圧を動作対象装置（１７０）が動作する電圧に降圧して動作対象装置へ出力する降圧回路（１４０）と、
降圧回路の作動を制御する制御部（１３０）と、
降圧回路と並列に設けられ、バッテリからの電圧が入力され、入力された電圧を昇圧して制御部に出力する昇圧電源部（１５０）とを備える車載電源装置であって、
動作対象装置は、コンピュータであって、通常状態と通常状態にて動作する回路の一部を停止させたスタンバイ状態とが可能であり、
車載電源装置は、昇圧電源部の昇圧動作をオフにした通電状態と、昇圧電源部を昇圧動作させる昇圧動作状態とを切り替える昇圧制御部（１８１）を備え、
昇圧制御部は、コンピュータがスタンバイ状態になっているときは、昇圧電源部を、昇圧動作をオフにした通電状態とし、コンピュータが通常状態になっているときは、昇圧電源部を昇圧動作させる。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ろ過材がプリーツ状に折り畳まれたカートリッジフィルターであって、
前記ろ過材は、第１繊維層を有し、
第１繊維層の流入側には、第１ネットが配置されており、
第１繊維層の流出側には第３繊維層が配置されており、
第１繊維層の平均孔径は０．５〜２０μｍであり、
第３繊維層の平均孔径は３〜２５μｍであり、
第３繊維層の平均孔径が第１繊維層の平均孔径の１．１〜８倍であり、
前記ろ過材を構成する全ての繊維層において、平均孔径が最も小さい繊維層が第１繊維
層であるカートリッジフィルター。
【請求項２】
前記第３繊維層の流出側に、さらに第４繊維層が配置されており、
第４繊維層の平均孔径は５〜６０μｍであり、
第４繊維層の平均孔径が、第３繊維層の平均孔径の１．０５〜４倍である請求項１に記載のカートリッジフィルター。
【請求項３】
前記ろ過材が第２ネットを有し、第２ネットは、前記ろ過材を構成する繊維集合物の中で最も流出側に配置されている請求項１または２に記載のカートリッジフィルター。
【請求項４】
前記ろ過材を構成する繊維層の総数が２〜４層であり、
前記第１繊維層の流入側には繊維層が配置されておらず、
第１繊維層の流出側に配置されている繊維層が１〜３層である請求項１〜３のいずれか１項に記載のカートリッジフィルター。
【請求項５】
ろ過材がプリーツ状に折り畳まれたカートリッジフィルターであって、
前記ろ過材は、第１繊維層を有し、
第１繊維層の流入側には、第２繊維層、又は第１ネットと第２繊維層の積層体が配置されており、第１繊維層の流入側に第１ネットと第２繊維層の積層体が配置される場合、流入側から、第１ネット、第２繊維層の順で配置され、
第１繊維層の流出側には第３繊維層が配置されており、
第１繊維層の平均孔径は０．５〜２０μｍであり、
第２繊維層の平均孔径は５〜６０μｍであり、
第３繊維層の平均孔径は３〜２５μｍであり、
第２繊維層の平均孔径が第１繊維層の平均孔径の３〜１０倍であり、
第３繊維層の平均孔径が第１繊維層の平均孔径の１．１〜８倍であり、
第２繊維層の平均孔径が第３繊維層の平均孔径の１．０５〜４倍であり、
前記ろ過材を構成する全ての繊維層において、平均孔径が最も小さい繊維層が第１繊維層であるカートリッジフィルター。
【請求項６】
前記ろ過材が第２ネットを有し、第２ネットは、前記ろ過材を構成する繊維集合物の中で最も流出側に配置されている請求項５に記載のカートリッジフィルター。
【請求項７】
前記ろ過材を構成する繊維層の総数が３層であり、
前記第１繊維層の流入側に配置されている繊維層が前記第２繊維層のみであり、
前記第１繊維層の流出側に配置されている繊維層が前記第３繊維層のみである請求項５または６に記載のカートリッジフィルター。
【手続補正書】
【提出日】令和3年9月28日(2021.9.28)
【手続補正１】
【補正対象書類名】特許請求の範囲
【補正対象項目名】請求項１
【補正方法】変更
【補正の内容】
【請求項１】
車両の駆動源となる電池が収容された電池室に、冷却ファンによって車室内の空気を供給して前記電池を冷却可能な車両用電池冷却システムにおいて、
前記電池の温度を検知する電池温度センサと、
前記車室内の温度を検知する車室温度センサと、
前記車室、前記電池室及び車外を連通する排出経路と、
前記車室と前記電池室との間で空気を循環可能な循環経路と、
前記排出経路と前記循環経路との切り替えを行う切替手段と、
前記車室内の気圧が車外よりも高くなる所定の与圧条件を満たした場合に、前記電池温度センサ及び前記車室温度センサの検知結果に基づき、前記切替手段を作動させて前記排出経路又は前記循環経路を選択する制御部と、を備え、
該制御部は、
前記電池の温度が、予め設定された低冷却範囲内であって、且つ前記車室内の温度よりも高い場合に前記排出経路を選択し、
前記電池の温度が、前記低冷却範囲内であって、且つ前記車室内の温度よりも低い場合に前記循環経路を選択することを特徴とする車両用電池冷却システム。
【手続補正２】
【補正対象書類名】明細書
【補正対象項目名】００１２
【補正方法】変更
【補正の内容】
【００１２】
上記目的を達成するために、本発明は、車両の駆動源となる電池が収容された電池室に、冷却ファンによって車室内の空気を供給して前記電池を冷却可能な車両用電池冷却システムにおいて、前記電池の温度を検知する電池温度センサと、前記車室内の温度を検知する車室温度センサと、前記車室、前記電池室及び車外を連通する排出経路と、前記車室と前記電池室との間で空気を循環可能な循環経路と、前記排出経路と前記循環経路との切り替えを行う切替手段と、前記車室内の気圧が車外よりも高くなる所定の与圧条件を満たした場合に、前記電池温度センサ及び前記車室温度センサの検知結果に基づき、前記切替手段を作動させて前記排出経路又は前記循環経路を選択する制御部と、を備え、該制御部は、前記電池の温度が、予め設定された低冷却範囲内であって、且つ前記車室内の温度よりも高い場合に前記排出経路を選択し、前記電池の温度が、前記低冷却範囲内であって、且つ前記車室内の温度よりも低い場合に前記循環経路を選択することを特徴とする。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
プロセッサおよびメモリを備えるコンピュータにより実行されるゲームプログラムであって、
前記ゲームプログラムは、前記プロセッサに、
前記ゲームプログラムに基づくゲームにおいて利用可能なオブジェクトのうち第１オブジェクト群から何れかを選択し、選択したオブジェクトをユーザに関連付けて前記メモリに記憶させる第１処理を実行する第１ステップと、
前記ゲームにおいて利用可能なオブジェクトのうち第２オブジェクト群から何れかを選択し、選択したオブジェクトを前記ユーザに関連付けて前記メモリに記憶させる第２処理を実行する第２ステップと、
前記第１処理を実行させることが可能な第１権利を表す情報を、前記ユーザに関連付けて前記メモリに記憶させる第３ステップと、
前記ユーザの操作に基づいて、前記メモリに記憶させた前記第１権利を表す情報を、前記第１処理ではなく前記第２処理を実行させることが可能な第２権利を表す情報であって前記第１権利と等価値以上となる情報に変更する第４ステップと、を実行させるゲームプログラム。
【請求項２】
前記第１ステップは、前記ユーザに関連付けられたアイテムが、第１ゲーム内価値に相当する量だけ消費される場合に実行され、
前記第２ステップは、前記ユーザに関連付けられた前記アイテムが、前記第１ゲーム内価値より低い第２ゲーム内価値に相当する量だけ消費される場合に実行され、
前記第４ステップは、前記第１権利を表す情報を、等価値以上のゲーム内価値に相当する量の前記第２権利を表す情報に変更する、請求項１に記載のゲームプログラム。
【請求項３】
前記ゲームプログラムは、前記プロセッサに、
前記メモリに前記第１権利を表す情報が記憶されている場合に、
前記第１処理を実行させるための操作を受け付けるゲーム画面に、前記第１権利を表す情報を消費することにより前記第１処理の実行を指示する操作を受け付けるための第１ユーザインタフェースオブジェクトと、前記第４ステップの実行を指示する操作を受け付けるための第２ユーザインタフェースオブジェクトとを表示するステップをさらに実行させる、請求項１または２に記載のゲームプログラム。
【請求項４】
前記第２ステップは、前記第２オブジェクト群を構成するオブジェクトとして、前記第１オブジェクト群を構成するオブジェクトに関連付けて利用されるオブジェクトを適用する、請求項１から３までの何れか１項に記載のゲームプログラム。
【請求項５】
前記第１ステップは、前記第１オブジェクト群として、前記ゲームにおいて利用可能なキャラクタ群を適用する、請求項４に記載のゲームプログラム。
【請求項６】
前記第１ステップにおいて、前記第１オブジェクト群の構成は、期間に応じて定められ、過去に前記第１オブジェクト群に含まれていたオブジェクトの少なくとも一部を、現在の前記第１オブジェクト群に含める、請求項１から５までの何れか１項に記載のゲームプログラム。
【請求項７】
前記第４ステップは、現在の前記第１オブジェクト群に含まれるオブジェクトの少なくとも一部が、前記メモリに前記ユーザに関連付けて記憶されている場合に実行される、請求項１から６までの何れか１項に記載のゲームプログラム。
【請求項８】
前記第３ステップは、前記ユーザの操作に基づき前記ゲームにおいて利用可能な有価データが購入された場合に実行される、請求項１から７までの何れか１項に記載のゲームプログラム。
【請求項９】
コンピュータがゲームプログラムを実行する方法であって、
前記コンピュータは、プロセッサおよびメモリを備え、
前記プロセッサが請求項１に記載の各ステップを実行する方法。
【請求項１０】
情報処理装置であって、
前記情報処理装置は、
請求項１に記載のゲームプログラムを記憶する記憶部と、
該ゲームプログラムを実行することにより、情報処理装置の動作を制御する制御部とを備えている、情報処理装置。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
遊技を制御する主制御装置と、遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラーデータを取得し、取得した前記スケジューラーデータに基づいて処理を実行する複数の演出実行部と、
を備え、
前記スケジューラーデータは、演出装置を制御可能なファンクションを含んで構成され、
前記ファンクションには、前記スケジューラーデータを実行する演出実行部を指定して実行させることが可能なリクエストファンクションが含まれ、
前記スケジューラーデータに前記リクエストファンクションを複数指定することによって、当該リクエストファンクションに指定されたスケジューラーデータを並列して実行可能であり、
さらに、表示装置に画像を表示する演出を実行する表示演出実行手段と、
前記画像を表示する演出を実行するために必要なプログラムデータを記憶するプログラムデータ記憶手段と、
前記表示装置に表示する画像データを画像表示情報として記憶する画像データ記憶手段と、
前記画像データ記憶手段に記憶された画像表示情報に基づいて前記表示装置に表示にする描画データを記憶する描画データ記憶手段と、
前記表示演出実行手段からの指示情報に基づいて、前記画像データ記憶手段から読み出した画像データにより前記描画データを生成して前記描画データ記憶手段に記憶し、当該描画データ記憶手段に記憶された描画データに基づいて前記表示装置に表示画像を出力する画像制御手段と、
前記画像表示情報のうち特定の画像を表示するための特定画像表示情報を一時的に記憶可能な画像表示情報一時記憶手段と、
を備え、
前記プログラムデータには、所定の処理を実行するための演出識別情報が設定されているものが含まれており、
前記演出識別情報には、前記特定の画像に対応する特定演出識別情報が含まれており、
前記表示演出実行手段は、
前記プログラムデータに設定された前記演出識別情報に対応する処理を呼び出し、当該演出識別情報に対応した処理を実行し、
前記演出識別情報が前記特定演出識別情報の場合には、前記特定の画像を変形させるための変形指示情報を生成し、
前記画像制御手段は、前記表示演出実行手段からの前記変形指示情報に基づいて、前記特定の画像を変形させ、当該変形させた画像に対応する特定画像表示情報に基づいて生成された描画データを前記描画データ記憶手段に記憶する
ことを特徴とする遊技機。
【手続補正２】
【補正対象書類名】明細書
【補正対象項目名】０００２
【補正方法】変更
【補正の内容】
【０００２】
近年、遊技機では、遊技の興趣を高めるために多種多様な演出が要求されるようになり、画像表示部による画像の表示、役物の可動、スピーカによる音響、各種のランプの点灯等の演出が実行される。多様な演出を実現可能な遊技機の開発を効率化するための技術が提案されている（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００９−０６１１４７号公報
【手続補正５】
【補正対象書類名】明細書
【補正対象項目名】０００５
【補正方法】変更
【補正の内容】
【０００５】
しかしながら、さらなる演出の多様化に対応するためにより複雑な制御が必要となった。そのため、遊技機の開発に膨大な工数を要するおそれが生じ、さらなる開発効率の向上を図る必要があった。
【手続補正６】
【補正対象書類名】明細書
【補正対象項目名】０００７
【補正方法】変更
【補正の内容】
【０００７】
上述した目的を達成するため、本発明の代表的な実施形態では、
遊技を制御する主制御装置と、遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行するための手順が定義されたスケジューラーデータを取得し、取得した前記スケジューラーデータに基づいて処理を実行する複数の演出実行部と、
を備え、
前記スケジューラーデータは、演出装置を制御可能なファンクションを含んで構成され、
前記ファンクションには、前記スケジューラーデータを実行する演出実行部を指定して実行させることが可能なリクエストファンクションが含まれ、
前記スケジューラーデータに前記リクエストファンクションを複数指定することによって、当該リクエストファンクションに指定されたスケジューラーデータを並列して実行可能であり、
さらに、表示装置に画像を表示する演出を実行する表示演出実行手段と、
前記画像を表示する演出を実行するために必要なプログラムデータを記憶するプログラムデータ記憶手段と、
前記表示装置に表示する画像データを画像表示情報として記憶する画像データ記憶手段と、
前記画像データ記憶手段に記憶された画像表示情報に基づいて前記表示装置に表示にする描画データを記憶する描画データ記憶手段と、
前記表示演出実行手段からの指示情報に基づいて、前記画像データ記憶手段から読み出した画像データにより前記描画データを生成して前記描画データ記憶手段に記憶し、当該描画データ記憶手段に記憶された描画データに基づいて前記表示装置に表示画像を出力する画像制御手段と、
前記画像表示情報のうち特定の画像を表示するための特定画像表示情報を一時的に記憶可能な画像表示情報一時記憶手段と、
を備え、
前記プログラムデータには、所定の処理を実行するための演出識別情報が設定されているものが含まれており、
前記演出識別情報には、前記特定の画像に対応する特定演出識別情報が含まれており、
前記表示演出実行手段は、
前記プログラムデータに設定された前記演出識別情報に対応する処理を呼び出し、当該演出識別情報に対応した処理を実行し、
前記演出識別情報が前記特定演出識別情報の場合には、前記特定の画像を変形させるための変形指示情報を生成し、
前記画像制御手段は、前記表示演出実行手段からの前記変形指示情報に基づいて、前記特定の画像を変形させ、当該変形させた画像に対応する特定画像表示情報に基づいて生成された描画データを前記描画データ記憶手段に記憶する
ことを特徴とする遊技機。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
薬剤の判別を選択部に行わせる薬剤判別ソフトウェアであって、
判別対象の薬剤が表示された画像を取得するステップと、
前記画像から、薬剤が占める領域を抽出するステップと、
前記領域内の刻印および／または印刷を抽出するステップと、
抽出した刻印および／または印刷に基づいて、薬剤の検索を行うステップと、
前記判別対象の薬剤の画像情報と、前記薬剤の検索により得られた薬剤の画像情報を、少なくとも一つの画面に表示するステップと、
をコンピューターに行わせることを特徴とする、薬剤判別ソフトウェア。
【請求項２】
前記判別対象の薬剤が表示された画像を取得するステップは、判別対象の薬剤を、当該薬剤の上部と下部から撮影するステップと、
前記撮影するステップにより取得された、薬剤の上部と下部の画像情報のそれぞれを少なくとも一つの画面に表示するステップと、
をコンピューターに、さらに行わせることを特徴とする、請求項１に記載の薬剤判別ソフトウェア。
【請求項３】
一包ごとに分包された長尺状の分包紙に含まれる薬剤を、前記判別対象の薬剤として、前記薬剤の検索により得られた薬剤の画像との照合を実行するステップと、
をコンピューターに行わせることを特徴とする、請求項１に記載の薬剤判別ソフトウェア。
【請求項４】
前記抽出した刻印および／または印刷に基づいて、薬剤の検索を行うステップは、異なった薬剤として判定された場合に、当該薬剤の画像を表示しないステップと、
をコンピューターに、さらに行わせることを特徴とする、請求項１に記載の薬剤判別ソフトウェア。
【請求項５】
前記判別対象の薬剤の画像情報と、前記薬剤の検索により得られた薬剤の画像情報を、少なくとも一つの画面に表示するステップは、
前記判別対象の薬剤の一部の画像情報を強調して画面表示するステップと、
をコンピューターに、さらに行わせることを特徴とする、請求項１に記載の薬剤判別ソフトウェア。
【請求項６】
前記薬剤の判別を選択部に行わせる薬剤判別ソフトウェアは、
判別が終了した薬剤が分包された分包紙上に、所定の分包情報を印刷するステップと、
をコンピューターに、さらに行わせることを特徴とする、請求項１に記載の薬剤判別ソフトウェア。
【請求項７】
前記所定の分包情報とは、タイトル、鑑別した日時および日付、薬剤鑑別装置の識別番号、患者名、薬品連番、薬品名、刻印、印字、薬剤の個数、薬剤の合計数のいずれかが含まれる、ことを特徴とする、請求項７に記載の薬剤判別ソフトウェア。
【請求項８】
前記所定の分包情報の印刷するレイアウトは、変更可能である、ことを特徴とする、請求項８に記載の薬剤判別ソフトウェア。
【請求項９】
前記薬剤の検索は、処方履歴に含まれる薬剤に限定される、ことを特徴とする、請求項１ないし９のいずれか１項に記載の薬剤判別ソフトウェア。
【請求項１０】
薬剤の判別を選択部に行わせる薬剤判別ソフトウェアであって、
判別対象の薬剤が表示された画像を取得するステップと、
前記画像から、薬剤が占める領域を抽出するステップと、
前記領域内の刻印および／または印刷を抽出するステップと、
前記判別対象の薬剤が包装されている袋にバーコードが付されている場合は、そのバーコードをスキャンするステップと、
前記スキャンにより入力された情報に基づいて、前記判別対象の薬剤を特定するステップと、
前記判別対象の薬剤の画像情報と、前記薬剤の検索により得られた薬剤の画像情報を、少なくとも一つの画面に表示するステップと、
をコンピューターに行わせることを特徴とする、薬剤判別ソフトウェア。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
実際のクレーンゲーム装置をその場でプレイしているかのような仮想的なゲームプレイをプレーヤ端末に提供するサーバシステムであって、
前記プレーヤ端末は、タッチパネルを有するスマートフォンであり、
前記ゲームプレイを行う装置或いはゲーム状況を閲覧する装置を選択するための装置一覧を前記プレーヤ端末のタッチパネルに表示させる制御を行う一覧表示制御手段と、
一のプレーヤによって前記ゲームプレイがなされている際に、当該プレイ中の装置に係るゲーム状況の閲覧要求を他のプレーヤから受け付ける受付手段と、
前記閲覧要求に応じて、当該閲覧要求された装置に係る前記プレイ中のゲーム状況を前記他のプレーヤのプレーヤ端末のタッチパネルに表示させる制御を行うゲーム状況表示制御手段と、
前記他のプレーヤによる前記一のプレーヤの次のゲームプレイの予約を登録する予約登録手段と、
前記予約の状況を前記一のプレーヤのプレーヤ端末のタッチパネルに表示させる制御を行う予約状況表示制御手段と、
を備えたサーバシステム。
【請求項２】
前記予約状況表示制御手段は、予約したプレーヤの人数に応じた表示を前記一のプレーヤのプレーヤ端末のタッチパネルに表示させる制御を行う、
請求項１に記載のサーバシステム。
【請求項３】
前記一のプレーヤのゲームプレイ終了後に、前記予約登録手段による登録順に従って、予約したプレーヤのプレーヤ端末にゲームプレイが可能となった旨を通知する予約履行可能通知手段、
を更に備えた請求項１又は２に記載のサーバシステム。
【請求項４】
前記一のプレーヤのゲームプレイから所与の優先受付期間の間は、当該一のプレーヤによるゲームプレイ要求を優先して受け付ける優先受付手段を更に備え、
前記予約履行可能通知手段は、前記優先受付期間の経過後に、予約したプレーヤのプレーヤ端末にゲームプレイが可能となった旨を通知する、
請求項３に記載のサーバシステム。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
始動条件の成立に基づいて、当りに関する抽選情報を取得し、前記抽選情報に基づいて抽選を実行する抽選手段と、
演出が表示される表示装置と、
前記演出を実行する演出実行手段と、
装飾図柄を前記表示装置に表示し、開始条件の成立に基づいて前記装飾図柄の変動を実行し、前記装飾図柄の変動の終了時に前記抽選の結果を示す装飾図柄変動手段と、
前記始動条件の成立は満たされたものの前記開始条件の成立が満たされなかった場合には、所定数を上限として前記抽選情報を記憶する保留手段と、
前記保留手段が記憶した前記抽選情報に対応する記憶保留表示および前記開始条件が成立した前記抽選情報に対応する現保留表示を、前記表示装置に保留表示として表示する保留表示手段と、を備え、
前記保留表示を変化させる保留変化演出を実行可能とし、
前記装飾図柄がリーチ態様を維持したまま前記装飾図柄によって第１所定時間を１サイクルとした周期的な第１表示演出を実行可能であり、
前記保留変化演出によって変化した保留表示によって第２所定時間を１サイクルとした周期的な第２表示演出を実行可能であり、
前記装飾図柄の変動中の特定期間において、前記第１表示演出と前記第２表示演出を実行可能とし、
前記装飾図柄がリーチ態様を維持したまま前記装飾図柄によって第１所定時間を１サイクルとした周期的な前記第１表示演出を実行しているときに前記保留表示を変化させる前記保留変化演出を実行可能とされており、
前記装飾図柄がリーチ態様を維持したまま前記装飾図柄によって第１所定時間を１サイクルとした周期的な第１表示演出を実行しているときに前記当りに対する期待が高まる前記保留表示を変化させる保留変化演出が実行されて前記保留表示が前記第２所定時間を１サイクルとした周期的な第２表示演出が実行された状況において、当該第１表示演出における第１所定時間と当該第２表示演出における第２所定時間は異なるものであって、
前記演出には、リーチ演出と、前記リーチ演出より期待の高い特別リーチ演出と、が少なくともあり、
前記特別リーチ演出において前記抽選手段による抽選の結果を示唆する当落演出が表示されたあとに前記第２表示演出を前記第２所定時間以上表示することを可能とする
ことを特徴とする遊技機。
【手続補正２】
【補正対象書類名】明細書
【補正対象項目名】０００７
【補正方法】変更
【補正の内容】
【０００７】
始動条件の成立に基づいて、当りに関する抽選情報を取得し、前記抽選情報に基づいて抽選を実行する抽選手段と、演出が表示される表示装置と、前記演出を実行する演出実行手段と、装飾図柄を前記表示装置に表示し、開始条件の成立に基づいて前記装飾図柄の変動を実行し、前記装飾図柄の変動の終了時に前記抽選の結果を示す装飾図柄変動手段と、前記始動条件の成立は満たされたものの前記開始条件の成立が満たされなかった場合には、所定数を上限として前記抽選情報を記憶する保留手段と、前記保留手段が記憶した前記抽選情報に対応する記憶保留表示および前記開始条件が成立した前記抽選情報に対応する現保留表示を、前記表示装置に保留表示として表示する保留表示手段と、を備え、前記保留表示を変化させる保留変化演出を実行可能とし、前記装飾図柄がリーチ態様を維持したまま前記装飾図柄によって第１所定時間を１サイクルとした周期的な第１表示演出を実行可能であり、前記保留変化演出によって変化した保留表示によって第２所定時間を１サイクルとした周期的な第２表示演出を実行可能であり、前記装飾図柄の変動中の特定期間において、前記第１表示演出と前記第２表示演出を実行可能とし、前記装飾図柄がリーチ態様を維持したまま前記装飾図柄によって第１所定時間を１サイクルとした周期的な前記第１表示演出を実行しているときに前記保留表示を変化させる前記保留変化演出を実行可能とされており、前記装飾図柄がリーチ態様を維持したまま前記装飾図柄によって第１所定時間を１サイクルとした周期的な第１表示演出を実行しているときに前記当りに対する期待が高まる前記保留表示を変化させる保留変化演出が実行されて前記保留表示が前記第２所定時間を１サイクルとした周期的な第２表示演出が実行された状況において、当該第１表示演出における第１所定時間と当該第２表示演出における第２所定時間は異なるものであって、前記演出には、リーチ演出と、前記リーチ演出より期待の高い特別リーチ演出と、が少なくともあり、前記特別リーチ演出において前記抽選手段による抽選の結果を示唆する当落演出が表示されたあとに前記第２表示演出を前記第２所定時間以上表示することを可能とすることを特徴とする。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
判別を実行可能な判別手段と、
その判別手段による判別結果を示すための識別情報が表示される表示手段と、
その表示手段に表示される前記識別情報を動的表示させる動的表示手段と、を備えた遊技機において、
第１演出状態と第２演出状態とを含む複数の演出状態より1の演出状態を設定することが可能な状態設定手段と、
前記第１演出状態と前記第２演出状態とのそれぞれに対応付けられた前記表示手段に表示される背景画像を選択するための特定情報を決定する特定情報決定手段と、
その特定情報決定手段により決定された前記特定情報に対応する前記背景画像の種別に応じて、前記表示手段に前記識別情報が動的表示されている間において前記表示手段に表示させる演出態様を、前記背景画像に対応付けられた複数の演出態様の中から選択可能な演出態様選択手段と、を備え、
前記特定情報決定手段は、前記第１演出状態が設定されていることに基づいて第１演出状態専用の前記特定情報を決定し、前記第２演出状態が設定されていることに基づいて前記第１演出状態専用の前記特定情報と第２演出状態専用の前記特定情報とを決定するものであり、
前記第２演出状態が選択されている場合には、前記特定情報決定手段により決定されている前記第２演出状態専用の特定情報に対応する背景画像が前記表示手段に表示されるものであり、
前記演出態様選択手段は、前記判別手段による判別結果に基づく前記演出態様を選択可能に構成されているものであることを特徴とする遊技機。
【手続補正２】
【補正対象書類名】明細書
【補正対象項目名】０００１
【補正方法】変更
【補正の内容】
【０００１】
本発明は、パチンコ機等に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、所定の図柄を表示装置で所定時間の間、変動表示させた後、抽選結果を示す図柄で停止表示させる抽選遊技が実行される。所定の図柄が変動中に、抽選結果を遊技者に報知する予告図柄等が表示される。
【手続補正４】
【補正対象書類名】明細書
【補正対象項目名】０００４
【補正方法】変更
【補正の内容】
【０００４】
この種のパチンコ機等において、さらに、遊技の興趣を向上させた遊技の演出が求められていた。
【手続補正５】
【補正対象書類名】明細書
【補正対象項目名】０００５
【補正方法】変更
【補正の内容】
【０００５】
本発明は、上記例示した問題点等を解決するためになされたものであり、遊技の興趣を向上させた遊技機を提供することを目的とする。
【手続補正６】
【補正対象書類名】明細書
【補正対象項目名】０００６
【補正方法】変更
【補正の内容】
【０００６】
この目的を達成するために請求項１記載の遊技機は、判別を実行可能な判別手段と、その判別手段による判別結果を示すための識別情報が表示される表示手段と、その表示手段に表示される前記識別情報を動的表示させる動的表示手段と、を備え、第１演出状態と第２演出状態とを含む複数の演出状態より1の演出状態を設定することが可能な状態設定手段と、前記第１演出状態と前記第２演出状態とのそれぞれに対応付けられた前記表示手段に表示される背景画像を選択するための特定情報を決定する特定情報決定手段と、その特定情報決定手段により決定された前記特定情報に対応する前記背景画像の種別に応じて、前記表示手段に前記識別情報が動的表示されている間において前記表示手段に表示させる演出態様を、前記背景画像に対応付けられた複数の演出態様の中から選択可能な演出態様選択手段と、を備え、前記特定情報決定手段は、前記第１演出状態が設定されていることに基づいて第１演出状態専用の前記特定情報を決定し、前記第２演出状態が設定されていることに基づいて前記第１演出状態専用の前記特定情報と第２演出状態専用の前記特定情報とを決定するものであり、前記第２演出状態が選択されている場合には、前記特定情報決定手段により決定されている前記第２演出状態専用の特定情報に対応する背景画像が前記表示手段に表示されるものであり、前記演出態様選択手段は、前記判別手段による判別結果に基づく前記演出態様を選択可能に構成されているものである。
【手続補正７】
【補正対象書類名】明細書
【補正対象項目名】０００８
【補正方法】変更
【補正の内容】
【０００８】
請求項１記載の遊技機によれば、判別を実行可能な判別手段と、その判別手段による判別結果を示すための識別情報が表示される表示手段と、その表示手段に表示される前記識別情報を動的表示させる動的表示手段と、を備え、第１演出状態と第２演出状態とを含む複数の演出状態より1の演出状態を設定することが可能な状態設定手段と、前記第１演出状態と前記第２演出状態とのそれぞれに対応付けられた前記表示手段に表示される背景画像を選択するための特定情報を決定する特定情報決定手段と、その特定情報決定手段により決定された前記特定情報に対応する前記背景画像の種別に応じて、前記表示手段に前記識別情報が動的表示されている間において前記表示手段に表示させる演出態様を、前記背景画像に対応付けられた複数の演出態様の中から選択可能な演出態様選択手段と、を備え、前記特定情報決定手段は、前記第１演出状態が設定されていることに基づいて第１演出状態専用の前記特定情報を決定し、前記第２演出状態が設定されていることに基づいて前記第１演出状態専用の前記特定情報と第２演出状態専用の前記特定情報とを決定するものであり、前記第２演出状態が選択されている場合には、前記特定情報決定手段により決定されている前記第２演出状態専用の特定情報に対応する背景画像が前記表示手段に表示されるものであり、前記演出態様選択手段は、前記判別手段による判別結果に基づく前記演出態様を選択可能に構成されているものである。
【手続補正８】
【補正対象書類名】明細書
【補正対象項目名】０００９
【補正方法】変更
【補正の内容】
【０００９】
よって、遊技の興趣を向上できるという効果がある。
【手続補正９】
【補正対象書類名】明細書
【補正対象項目名】１４５９
【補正方法】変更
【補正の内容】
【１４５９】
１０              パチンコ機（遊技機）
１３ 遊技盤
８１ 第３図柄表示装置（表示手段の一部）
１１４ 表示制御手段（動的表示手段の一部）
Ｓ３０５          判別手段の一部
Ｓ１５０９，Ｓ１５１１ 演出態様選択手段の一部
Ｓ１７１４ 状態設定手段の一部
Ｓ２２１３ 特定情報決定手段の一部
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
放射線撮影により得られた複数のフレーム画像データを含む動態画像データを取得する取得部と、
撮影オーダー情報に基づいて、前記動態画像データに対して動態解析を実行する区間を選択する選択部と、
前記区間に対応するフレーム画像データを用いて動態解析を実行する動態解析部と、
前記動態解析により得られた解析結果を出力する出力部と、
を備えること、を特徴とする動態解析装置。
【請求項２】
前記撮影オーダー情報は解析の種類を含むこと、を特徴とする請求項１に記載の動態解析装置。
【請求項３】
前記解析の種類は、換気解析と、肺血流解析と、最大換気量の測定との少なくとも１つを含むこと、を特徴とする請求項２に記載の動態解析装置。
【請求項４】
前記選択部により選択された区間を手動にて調整可能な調整部を有すること、を特徴とする請求項１〜請求項３のいずれか一項に記載の動態解析装置。
【請求項５】
前記解析結果を記憶する記憶部を有し、
前記出力部は、前記解析結果を前記記憶部に出力すること、
を特徴とする請求項１〜請求項４のいずれか一項に記載の動態解析装置。
【請求項６】
前記解析結果を表示する表示部を有し、
前記出力部は、前記解析結果を前記表示部に出力すること、
を特徴とする請求項１〜請求項５のいずれか一項に記載の動態解析装置。
【請求項７】
前記出力部は、前記解析結果を外部の表示装置に出力すること、
を特徴とする請求項１〜請求項６のいずれか一項に記載の動態解析装置。
【請求項８】
放射線撮影により得られた複数のフレーム画像データからなる動態画像データに対して動態解析を実行する動態解析プログラムであって、
コンピューターに、
前記動態画像データを受信する処理と、
撮影オーダー情報に基づいて、前記動態画像データに対して動態解析を実行する区間を選択する処理と、
前記区間に対応するフレーム画像データを用いて前記動態解析を実行する処理と、
前記動態解析により得られた解析結果を出力する処理と、
を実行させることを特徴とする動態解析プログラム。
【請求項９】
放射線撮影により得られた複数のフレーム画像データからなる胸部の動態画像データに対して動態解析を実行する動態解析方法であって、
前記動態画像データを受信する工程と、
撮影オーダー情報に基づいて、前記動態画像に対して動態解析を実行する区間を選択する工程と、
前記区間に対応するフレーム画像データを用いて前記動態解析を実行する工程と、
前記動態解析により得られた解析結果を出力する工程と、
を備えること特徴とする動態解析方法。
【手続補正２】
【補正対象書類名】明細書
【補正対象項目名】発明の名称
【補正方法】変更
【補正の内容】
【発明の名称】動態解析装置、動態解析プログラム及び動態解析方法
【手続補正３】
【補正対象書類名】明細書
【補正対象項目名】０００１
【補正方法】変更
【補正の内容】
【０００１】
本発明は、動態解析装置、動態解析プログラム及び動態解析方法に関する。
【手続補正４】
【補正対象書類名】明細書
【補正対象項目名】０００９
【補正方法】変更
【補正の内容】
【０００９】
上記課題を解決するため、本発明の動態解析装置は、
放射線撮影により得られた複数のフレーム画像データを含む動態画像データを取得する取得部と、
撮影オーダー情報に基づいて、前記動態画像データに対して動態解析を実行する区間を選択する選択部と、
前記区間に対応するフレーム画像データを用いて動態解析を実行する動態解析部と、
前記動態解析により得られた解析結果を出力する出力部と、
を備えること、を特徴とする。
【手続補正５】
【補正対象書類名】明細書
【補正対象項目名】００１０
【補正方法】変更
【補正の内容】
【００１０】
また、本発明の動態解析プログラムは、
放射線撮影により得られた複数のフレーム画像データからなる動態画像データに対して動態解析を実行する動態解析プログラムであって、
コンピューターに、
前記動態画像データを受信する処理と、
撮影オーダー情報に基づいて、前記動態画像データに対して動態解析を実行する区間を選択する処理と、
前記区間に対応するフレーム画像データを用いて前記動態解析を実行する処理と、
前記動態解析により得られた解析結果を出力する処理と、
を実行させることを特徴とする。
【手続補正６】
【補正対象書類名】明細書
【補正対象項目名】００１１
【補正方法】変更
【補正の内容】
【００１１】
また、本発明の動態解析方法は、
放射線撮影により得られた複数のフレーム画像データからなる胸部の動態画像データに対して動態解析を実行する動態解析方法であって、
前記動態画像データを受信する工程と、
撮影オーダー情報に基づいて、前記動態画像に対して動態解析を実行する区間を選択する工程と、
前記区間に対応するフレーム画像データを用いて前記動態解析を実行する工程と、
前記動態解析により得られた解析結果を出力する工程と、
を備えること特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】